(57)【要約】【課題】光の伝搬特性に大きく悪影響を与えない範囲で光ファイバの細径化を図った光ファイバ心線を提供する。【解決手段】コア１はガラスであり、中心部の屈折率を高くし、周辺部にかけて徐々に屈折率が低減するグレーテッドインデックス型のコアである。コア１の外側にはクラッド層は設けられていない。コア１の外周に被覆層２が直接被覆されている。クラッド層を設けないことにより光ファイバ心線の細径化を図ったものである。【選択図】　図１
2004012616.tif 000002
【特許請求の範囲】
【請求項１】
外径６２．５μｍ以下で、ガラスを主原料とするコアに、直接、プラスチックの被覆層を設けたことを特徴とする光ファイバ心線。
【請求項２】
前記コアが、屈折率が中心部から周辺部にかけて徐々に低減しているマルチモードファイバ用コアであることを特徴とする請求項１に記載の光ファイバ心線。
【請求項３】
コア周辺部の屈折率と前記プラスチックの被覆層の屈折率の差が０．３以下であることを特徴とする請求項２に記載の光ファイバ心線。
【請求項４】
外径６２．５μｍ以下で、ガラスを主原料とするコアの周囲に、コアの平均屈折率よりも低い屈折率を有するガラスを主原料とするクラッド層を設け、かつ、該クラッド層の厚さが１５μｍ以下であり、前記クラッド層の周囲にプラスチックの被覆層を設けたことを特徴とする光ファイバ心線。
【請求項５】
前記プラスチックの被覆層が紫外線硬化型のアクリレート樹脂からなることを特徴とする請求項１〜４のいずれか１項に記載の光ファイバ心線。
【請求項６】
前記プラスチックの被覆層の外径が約１２５μｍであることを特徴とする請求項１〜５のいずれか１項に記載の光ファイバ心線。
【請求項７】
請求項１〜６のいずれか１項に記載の光ファイバ心線を２次元的に配列し、プラスチック樹脂で一括被覆したことを特徴とする２次元テープ状光ファイバ心線。
【請求項８】
２次元的に配列された光ファイバ心線が最密充填構造になっていることを特徴とする請求項７に記載の２次元テープ状光ファイバ心線。
【請求項９】
２次元的な配列が上下２段であることを特徴とする請求項７または８に記載の２次元テープ状光ファイバ心線。
【請求項１０】
曲げ中心面から最も離れているガラスファイバ部までの距離αが０．１ｍｍ以下であることを特徴とする請求項９に記載の２次元テープ状光ファイバ心線。
【請求項１１】
請求項７または８に記載の２次元テープ状光ファイバ心線の周囲に、ルース状もしくはタイト状にプラスチック樹脂の外部被覆を設けたことを特徴とする光コード。
【請求項１２】
請求項９または１０に記載の２次元テープ状光ファイバ心線の周囲をプラスチック樹脂でルース状もしくはタイト状に保護したことを特徴とする光コード。
【請求項１３】
請求項７または８に記載の２次元テープ状光ファイバ心線の端末部の光ファイバ心線に多心コネクタを取り付けたコネクタ付きテープ状光ファイバ心線であって、コネクタにおける光ファイバ心線の配列が２次元テープ状光ファイバ心線の配列と同じ配列であることを特徴とするコネクタ付きテープ状光ファイバ心線。
【請求項１４】
請求項９または１０に記載の２次元テープ状光ファイバ心線の端末部の光ファイバ心線を１次元配列に変換し、多心コネクタを取り付けたことを特徴とするコネクタ付きテープ状光ファイバ心線。
【請求項１５】
２次元テープ状光ファイバ心線の端末部の光ファイバ心線を１次元配列に変換するに際し、上下の列の光ファイバ心線を交互に並ぶように１次元配列に変換したことを特徴とする請求項１４に記載のコネクタ付きテープ状光ファイバ心線。
【請求項１６】
２次元テープ状光ファイバ心線の端末部の光ファイバ心線を１次元配列に変換するに際し、上下の列の光ファイバ心線をそれぞれ一まとまりとして並ぶように１次元配列に変換したことを特徴とする請求項１４に記載のコネクタ付きテープ状光ファイバ心線。
【請求項１７】
前記多心コネクタの光ファイバ挿入孔が、テープ状光ファイバ心線を構成する光ファイバ心線の被覆径に対応した内径であり、前記光ファイバ挿入孔には、被覆層を施した光ファイバ心線が挿入されていることを特徴とする請求項１３〜１６のいずれか１項に記載のコネクタ付きテープ状光ファイバ心線。
【請求項１８】
前記多心コネクタの光ファイバ挿入孔が、テープ状光ファイバ心線を構成する光ファイバ心線のガラス径に対応した内径であり、前記光ファイバ挿入孔には、被覆層が除去された光ファイバ心線が挿入されていることを特徴とする請求項１３〜１６のいずれか１項に記載のコネクタ付きテープ状光ファイバ心線。
【請求項１９】
多心コネクタにおける光ファイバ心線のピッチが、テープ状光ファイバ心線における光ファイバ心線のピッチよりも大きいことを特徴とする請求項１３〜１８のいずれか１項に記載のコネクタ付きテープ状光ファイバ心線。
【請求項２０】
請求項１１に記載の光コードの端末部の光ファイバ心線に多心コネクタを取り付けたコネクタ付き光コードであって、コネクタにおける光ファイバ心線の配列が光コードの２次元テープ状光ファイバ心線の配列と同じ配列であることを特徴とするコネクタ付き光コード。
【請求項２１】
請求項１２に記載の光コードの端末部の光ファイバ心線を１次元配列に変換し、多心コネクタを取り付けたことを特徴とするコネクタ付き光コード。
【請求項２２】
光コードの端末部の光ファイバ心線を１次元配列に変換するに際し、上下の列の光ファイバ心線を交互に並ぶように１次元配列に変換したことを特徴とする請求項２１に記載のコネクタ付き光コード。
【請求項２３】
光コードの端末部の光ファイバ心線を１次元配列に変換するに際し、上下の列の光ファイバ心線をそれぞれ一まとまりとして並ぶように１次元配列に変換したことを特徴とする請求項２１に記載のコネクタ付き光コード。
【請求項２４】
前記多心コネクタの光ファイバ挿入孔が、光コードを構成する光ファイバ心線の被覆径に対応した内径であり、前記光ファイバ挿入孔には、被覆層を施した光ファイバ心線が挿入されていることを特徴とする請求項２０〜２２のいずれか１項に記載のコネクタ付き光コード。
【請求項２５】
前記多心コネクタの光ファイバ挿入孔が、光コードを構成する光ファイバ心線のガラス径に対応した内径であり、前記光ファイバ挿入孔には、被覆層が除去された光ファイバ心線が挿入されていることを特徴とする請求項２０〜２２のいずれか１項に記載のコネクタ付き光コード。
【請求項２６】
多心コネクタにおける光ファイバ心線のピッチが、光コードにおける光ファイバ心線のピッチよりも大きいことを特徴とする請求項２０〜２５のいずれか１項に記載のコネクタ付き光コード。
【発明の詳細な説明】
【０００１】
【発明の属する技術分野】
本発明は、光信号を伝送する通信用の光ファイバ、２次元テープ状光ファイバ心線および光ファイバコードに関するものである。
【０００２】
【従来の技術】
図１０は、現行の光ファイバ心線の一例の断面図である。図中、１１はコア、１２はクラッド、１３は被覆である。コア１１およびクラッド１２はガラスであり、コア１１の外径は５０μｍ、クラッド１２の外径は１２５μｍである。被覆１３は、プラスチック、例えば、紫外線硬化型のアクリレート樹脂が用いられ、外径は２５０μｍである。
【０００３】
図１１は、現行のテープ状光ファイバ心線の一例の断面図である。図中、図１０と同様の部分には同じ符号を付して説明を省略する。１４は光ファイバ心線、１５はテープ被覆である。この例では、光ファイバ心線１４は、図１０で説明したと同様の光ファイバ心線が用いられている。この光ファイバ心線８本を並べて、テープ被覆１５で一体化したものである。したがって、光ファイバ心線１４の外径は２５０μｍであり、テープ状光ファイバ心線の幅は、２１００μｍ、厚さは４００μｍである。なお、この例は、８心であるが、２心，４心などに限らず、適宜の心数のテープ状光ファイバ心線が用いられている。
【０００４】
図１２は、現行の光ファイバコードの一例の断面図である。図中、図１０と同様の部分には同じ符号を付して説明を省略する。１６は一次被覆、１７は二次被覆である。一次被覆１６の外径は４００μｍ、二次被覆１７の外径は９００μｍであり、被覆材料には、ナイロン等の合成樹脂が用いられている。
【０００５】
このような光ファイバ心線，テープ状光ファイバ心線，光ファイバコード等については、「光ケーブルネットワーク配線システム総合カタログ」（２０００年８月、住友電気工業株式会社発行）にも記載されている。
【０００６】
これら光ファイバ心線，テープ状光ファイバ心線，光ファイバコードのコアには、特開昭５４−１３８６３１号公報に記載されているようなマルチモードで伝送を行なうものもある。また、図１１で説明したテープ状光ファイバ心線については、特開２００１−１７４６８０号公報にも記載がある。
【０００７】
上述した光ファイバ心線，テープ状光ファイバ心線は、光ファイバ心線の外径が２５０μｍであるから、特開２００１−７４９７３号公報に記載されているように、多心コネクタでの光ファイバのピッチは２５０μｍであり、高密度化が課題とされている。
【０００８】
【発明が解決しようとする課題】
通信用の石英系の光ファイバは、ガラス径１２５μｍのものが主流であるが、要求される光ファイバ心線の数が増大するにつれ、高密度化が必要となっており、光ファイバの寸法が無視できなくなった。本発明は、このような事情に鑑みてなされたもので、通信用光ファイバにおいて、光の伝搬特性に大きく悪影響を与えない範囲で光ファイバの細径化を図った光ファイバ心線，２次元テープ状光ファイバ心線，光ファイバコードを提供することを目的とするものである。
【０００９】
【課題を解決するための手段】
本発明は、光ファイバ心線において、外径６２．５μｍ以下で、ガラスを主原料とするコアに、直接、プラスチックの被覆層を設けたことを特徴とするものである。また、本発明は、光ファイバ心線において、外径６２．５μｍ以下で、ガラスを主原料とするコアの周囲に、コアの平均屈折率よりも低い屈折率を有するガラスを主原料とするクラッド層を設け、かつ、該クラッド層の厚さが１５μｍ以下であり、前記クラッド層の周囲にプラスチックの被覆層を設けたことを特徴とするものである。
【００１０】
また、本発明は、２次元テープ状光ファイバ心線において、上記光ファイバ心線を２次元的に配列し、プラスチック樹脂で一括被覆したことを特徴とするものである。この２次元テープ状光ファイバ心線の端末部に多心コネクタを取り付けることができる。
【００１１】
また、本発明は、光コードにおいて、上記２次元テープ状光ファイバ心線の周囲に、ルース状もしくはタイト状にプラスチック樹脂の外部被覆を設けたことを特徴とするものである。この光コードの端末部に多心コネクタを取り付けることができる。
【００１２】
【発明の実施の形態】
図１は、本発明の光ファイバ心線の第１の実施の形態を説明するための断面図である。図中、１はコア、２は被覆層である。コア１は、ガラスであり、この例では、ＳｉＯ２にＧｅをドーピング剤として添加したものである。この例では、コア１の中心部の屈折率を高くし、周辺部にかけて徐々に屈折率が低減するグレーテッドインデックス型のコアとしたが、ステップインデックス型のコアとしてもよい。なお、ドーピング剤としては、Ｇｅに限られるものではなく、Ｐ，Ａｌ，Ｔｉ，Ｇａを単独に、あるいは、２種類以上を用いてもよい。
【００１３】
コア１の外側にはクラッド層は設けられていない。コア１の外周に被覆層２が直接被覆されている。クラッド層を設けないことにより光ファイバ心線の細径化を図ったものである。被覆層２は、コア１の保護と、光ファイバ心線の強度を確保するために設けられものである。被覆層２の材料は、プラスチックが用いられ、紫外線硬化型アクリレート樹脂，シリコーン樹脂，ナイロン樹脂等を用いることができ、その光学的な特性としては、遮光性、または、光吸収性、または、光透過性のものを用いる。
【００１４】
コア１の外径は５０μｍとしたが、これに限られるものではなく、それよりも大きくても、小さくてもよい。しかし、細径化を考えると、６２．５μｍを最大値とするのがよく、したがって、コア１の外径は６２．５μｍ以下とする。従来の外径１２５μｍのガラスファイバと外径を合わせるようにした場合でも、外径が１２５μｍとなる被覆層２を施すことができ、光ファイバ心線の強度を確保できる適当な厚さの被覆層２を形成することができる。
【００１５】
従来のクラッド層を有する光ファイバ、特に、マルチモードの光ファイバの場合、ビームスポット径の小さな面発光レーザー（ＶＣＳＥＬ）の登場により、クラッド部を通過する光強度は弱いと考えられる。このため、クラッド層をなくしても、大きな伝送損失増にはつながらないことがわかった。伝送帯域については、逆に高次モードの伝送損失により若干広がり、広帯域化が実現できる。しかし、シングルモードでもよいことはもちろんである。
【００１６】
この実施の形態における被覆部２の屈折率については、その値を適正化しないとモードの数は増えるが、プラスチックの被覆部２での伝送損失が大きいため帯域を大きく狭めることにはならないと思われる。したがって、被覆層２の屈折率は問題とするものではないが、コア１の周辺部の屈折率と被覆層２の屈折率の差が０．３以下であることが望ましく、この屈折率の範囲においても、コア周辺部の屈折率よりも被覆層２の屈折率が低い方が望ましい。なお、被覆層２の周囲に識別のための着色インク層を設けてもよい。
【００１７】
図２は、本発明の光ファイバ心線の第２の実施の形態を説明するための断面図である。図中、図１と同様の部分には同じ符号を付して説明を省略する。３はクラッド層である。この実施の形態では、構成的には、図１で説明した第１の実施の形態のコア１と被覆層２との間にクラッド層３を介在させた。コア１については、図１でした説明と同じである。
【００１８】
クラッド層３は、ガラスであり、ＳｉＯ２にドーピング剤を添加しない純石英ガラスを用いてもよく、または、屈折率を下げるドーピング剤、例えば、フッ素等をドープしてもよい。クラッド層の厚さは、現行の光ファイバ心線においては、クラッド層の作用を十分に果たせないような厚さ、すなわち、１５μｍ以下である。クラッド層３の屈折率は、コア１がグレーテッドインデックス型である場合は、コア１の中心部から周辺部までの平均屈折率よりも低い屈折率とする。なお、コア１がステップインデックス型の場合は、コア１の中心部から周辺部までの平均屈折率はコア１の屈折率に等しくなる。
【００１９】
特に、コア径の小さなシングルモードの光ファイバの場合、クラッド部にも無視し得ない光強度が存在するめ、この実施の形態では、薄くガラスのクラッド部を設けるようにした。それにより良好な伝送特性が保たれるとともに、第１の実施の形態に比して、ガラスの外径が大きくなり、機械的強度の向上の面からは有利である。被覆層２の材料については、図１で説明したものと同じであり、被覆層２の周囲に識別のための着色インク層を設けてもよい。
【００２０】
この実施の形態の具体例では、コア１の外径は５０μｍ、クラッド層３の外径は８０μｍ（厚さは１５μｍ）、被覆層２の外径は１２５μｍである。
【００２１】
上述した第１および第２の実施の形態の具体例において、被覆層２の外径をほぼ１２５μｍとした光ファイバ心線では、現行のコネクタ（光ファイバ挿入孔の内径がほぼ１２５μｍである。）をそのまま用いることが可能となり、また、現行の１２５μｍガラスファイバとのＶ溝等を用いたＰＣ（ＰｈｙｓｉｃａｌｌｙＣｏｎｔａｃｔ）接続も可能となる利点がある。
【００２２】
図３は、本発明の２次元テープ状光ファイバ心線の第１の実施の形態を説明するための断面図である。図中、図１と同様の部分には同じ符号を付して説明を省略する。４は光ファイバ心線、５はテープ被覆である。光ファイバ心線４は、第１の実施の形態で説明した光ファイバ心線を用いているが、第２の実施の形態で説明した光ファイバ心線を用いてもよい。光ファイバ心線４は、２次元に配列されている。光ファイバ心線を細径化することによって、２次元配列のテープ心線を実用化に近づけられることが可能となったのである。
【００２３】
しかし、クラッド層をもたない第１の実施の形態の光ファイバ心線では、ガラス径が６２．５μｍ以下であり、クラッド層を付加した第２の実施の形態の光ファイバ心線でも、ガラス径は９２．５μｍ以下であり、現行のガラス径が１２５μｍの光ファイバ心線に比べて、ガラス径が細径であることによって曲げ剛性が低いので、最密充填構造に配列しておかないと配列が乱れる可能性がある。最密充填構造とは、隣り合う光ファイバ心線４同士が、密接状態で配列された構造をいう用語として用いた。
【００２４】
この実施の形態では、８心の２次元テープ状光ファイバ心線とし、光ファイバ心線４を２段に配列したから、各段には、４心の光ファイバ心線４が密接して並べられている。上下の段のそれぞれの光ファイバ心線４は、同じピッチ位置に配列されている。光ファイバ心線４として被覆層の外径が１２５μｍのものを用いたから、各段の配列ピッチは１２５μｍであり、上下段間のピッチも１２５μｍである。このように２次元に配列された光ファイバ心線４は、テープ被覆５で一体化されている。テープ被覆５の材料としては、紫外線硬化型のアクリレート樹脂を用いているが、シリコーン樹脂，ナイロン樹脂等を用いてもよい。また、光ファイバ心線４の外周に識別のための着色層を施してもよい。
【００２５】
この２次元テープ状光ファイバ心線が曲げられる場合は、２段の光ファイバ心線４の段間を通る平面を曲げ平面とする方向に曲がりやすい。この曲がりやすい方向に曲げられたとき、ガラスファイバ部分（この実施の形態では、ガラスファイバ部分はコア１であるが、図２の光ファイバ心線を用いた場合には、コア１とクラッド３がガラスファイバ部分となる。）が曲げ平面から離れるに従って、ガラスファイバ部分にはより大きな伸張力または圧縮力を受けるから、曲げ歪みを低く抑えるためには、曲げ平面からガラスファイバ部分までの距離αが小さいことが望ましい。曲げ中心面から最も離れているガラスファイバ部までの距離αについては、０．１ｍｍ以下であることが曲げ径を低く抑えるためには望ましい条件である。
【００２６】
図４は、本発明の２次元テープ状光ファイバ心線の第２の実施の形態を説明するための断面図である。図中、図１，図３と同様の部分には同じ符号を付して説明を省略する。図３で説明した実施の形態においては、上下の段のそれぞれの光ファイバ心線４が、同じピッチ位置に配列されているのに対して、この実施の形態では、上下の段のそれぞれの光ファイバ心線４が１／２ピッチずれた位置に配列されている点が相違している。他については、図３で説明した実施の形態と相違はない。もちろん、最密充填構造である。
【００２７】
図５は、本発明の光コードの第１の実施の形態を説明するための断面図である。図中、図１，図３と同様の部分には同じ符号を付して説明を省略する。６は２次元テープ状光ファイバ心線、７は外部被覆である。この実施の形態では、２次元テープ状光ファイバ心線６の外周に密着させてプラスチック樹脂を用いた外部被覆７を施したものである。２次元テープ状光ファイバ心線６としては、図３または図４で説明した２次元テープ状光ファイバ心線が用いられる。タイト状に施した外部被覆７のプラスチック樹脂としては、紫外線硬化型のアクリレート樹脂，シリコーン樹脂，ナイロン樹脂等が用いられる。外径は、一例では９００μｍ程度である。
【００２８】
図６は、本発明の光コードの第２の実施の形態を説明するための断面図である。図中、図１，図３，図５と同様の部分には同じ符号を付して説明を省略する。この実施の形態は、図５で説明した光コードにおける２次元テープ状光ファイバ心線６に対する外部被覆７がルース状に設けられた点が、相違するだけである。外部被覆７に加えられる張力が、２次元テープ状光ファイバ心線６に直接に加えられない利点がある。
【００２９】
図７は、本発明のコネクタ付きテープ状光ファイバ心線の第１の実施の形態を説明するためのもので、図７（Ａ）は要部の斜視図、図７（Ｂ）〜（Ｄ）は配列パターンの説明図である。図中、６は２次元テープ状光ファイバ心線、８はコネクタである。
【００３０】
この実施の形態では、１次元配列のコネクタ８を用いた。コネクタ８は、ガラス径が１２５μｍの光ファイバに用いられている現行の多心コネクタであり、光ファイバ挿入孔の内径は公称１２５μｍである。光ファイバ挿入孔の配列ピッチＰ１は２５０μｍである。この実施の形態で用いられる２次元テープ状光ファイバ心線６は、図３または図４で説明した本発明の２次元テープ状光ファイバ心線であるとともに、２次元テープ状光ファイバ心線を構成する光ファイバ心線は、被覆径が１２５μｍであり、コネクタ８の光ファイバ挿入孔に挿入可能である。したがって、本発明では、従来の光ファイバにみられない構造の光ファイバ心線が用いられていても、従来のコネクタをそのまま用いて、コネクタ付きテープ状光ファイバ心線を構成することが可能である。
【００３１】
２次元テープ状光ファイバ心線６は、光ファイバ心線が２次元配列である。図７（Ｂ）の右側に示すように、この例では、４列２段の配列の光ファイバ心線が、１次元に配列された状態でコネクタに取り付けられる。右側の２次元テープ状光ファイバ心線においては、列間の配列ピッチＰ２は１２５μｍ、段の配列ピッチＰ３も１２５μｍであり、左側のコネクタにおける配列ピッチＰ１は２５０μｍである。上段をＡ列、下段をＢ列とすれば、この２段の光ファイバ心線の配列を１次元配列に変換されてコネクタに挿入される。１次元配列への変換には、図７（Ｃ）に示すように、各段の光ファイバ心線を１本ずつ交互に配置する方法と、図７（Ｄ）に示すように、各段ごとに並べて配置する方法が採用される。もちろん、これらの配置方法に限られるものではなく、２本おきに交互に配置するなど、１次元に配列する配列方法は適宜の方法が採用できる。しかし、コネクタ内での光ファイバ心線の曲げの曲率半径を大きくできる観点からは、図７（Ｃ）に示したように、上下の段の光ファイバ心線を１本ずつ交互に配置する配列に１次元変換するのがよい。
【００３２】
図８は、本発明のコネクタ付きテープ状光ファイバ心線の第２の実施の形態を説明するための要部の斜視図である。図中、図７（Ａ）と同様の部分には同じ符号を付して説明を省略する。この実施の形態では、コネクタとして、現行の２次元配列のコネクタを用いたものである。すなわち、ガラス径が１２５μｍの光ファイバに用いられている現行のコネクタであり、光ファイバ挿入孔の内径は公称１２５μｍである。列内の光ファイバ心線の配列ピッチＰ１は２５０μｍであり、列間のピッチＰ４は、２５０μｍ、または、それ以上であるのが普通である。したがって、列内の光ファイバ心線の配列ピッチＰ１は、テープ状光ファイバ心線における列内の光ファイバ心線の配列ピッチＰ２より大きく、列間のピッチＰ４は、テープ状光ファイバ心線における列間のピッチＰ３より大きい。
【００３３】
上述した実施の形態のコネクタでは、現行のコネクタを用いたが、本発明は、これに限られるものではなく、光ファイバ心線の被覆径に応じたコネクタを用いてもよいことは勿論である。現行のコネクタに限られないコネクタを用いた場合には、コネクタにおける光ファイバ心線が最密充填構造になるように光ファイバ挿入孔が形成されたコネクタを用いれば、Ｐ１＝Ｐ２、Ｐ４＝Ｐ３となるから、コネクタ付きのテープ状光ファイバ心線においては、Ｐ１≧Ｐ２、Ｐ４≧Ｐ３となる。
【００３４】
図９は、本発明のコネクタ付きテープ状光ファイバ心線の第３の実施の形態を説明するための要部の斜視図である。図中、図１，図２と同様の部分には同じ符号を付して説明を省略する。９はコネクタである。
【００３５】
この実施の形態のコネクタ９は、光ファイバ挿入孔が、光ファイバ心線のガラス部分が挿入されるのに適した内径である。図９（Ａ）は、光ファイバ心線のガラス部分がコア１であり、その外径は例えば５０μｍで、図１で説明した光ファイバ心線を用いたテープ状光ファイバ心線をコネクタ９に取り付けた状態を示している。また、図９（Ｂ）は、光ファイバ心線のガラス部分がコア１とクラッド３であり、クラッドの外径は例えば８０μｍで、図２で説明した光ファイバ心線を用いたテープ状光ファイバ心線をコネクタ９に取り付けた状態を示している。
【００３６】
この実施の形態では、光ファイバ挿入孔が従来の２５０μｍよりも小さいから、コネクタの小型化を図ることができる。
【００３７】
上述したコネクタ付きテープ状光ファイバ心線において、２次元テープ状光ファイバ心線に代えて、図５，図６で説明したような光コードを用いて、図７，図８で説明したコネクタ付き光コードとすることもできる（図７，図８におけるテープ状光ファイバ心線６を図５，図６で説明したような光コードに換えたものである。）。２次元テープ状光ファイバ心線に比べて、光コードは耐張力が大きいから、用途に応じて、コネクタ付き光コードは有用である。
【００３８】
【発明の効果】
以上の説明から明らかなように、請求項１〜６に記載の発明によれば、現行の光ファイバ心線に対して、細径化した光ファイバ心線を提供できる。特に、マルチモードファイバの場合に用いて有効である。また、請求項４に記載の発明では、上記効果に加えて、薄いガラスクラッド部を設けることにより良好な伝送特性が保たれるとともに、必要な機械的な強度も保つことができる。さらに、請求項６に記載の発明は、プラスチックの被覆層の外径を約１２５μｍとしたことにより、現行の多心コネクタへの適用を図ることができるという効果がある。
【００３９】
また、請求項７〜９に記載の発明によれば、テープ状光ファイバ心線を細径化でき、請求項１０に記載の発明によれば、現行のテープ状光ファイバ心線に比べて、テープ状光ファイバ心線の曲げ歪みを低減できる。そして、請求項１１，１２に記載の発明によれば、光コードを細径化できるという効果がある。
【００４０】
また、請求項１３〜２６に記載の発明によれば、多心コネクタの寸法を小さくできるとともに、光ファイバに特別な処理を施すことなく、コネクタ付きのテープ状光ファイバ心線や光コードを提供することができる。
【図面の簡単な説明】
【図１】本発明の光ファイバ心線の第１の実施の形態を説明するための断面図である。
【図２】本発明の光ファイバ心線の第２の実施の形態を説明するための断面図である。
【図３】本発明の２次元テープ状光ファイバ心線の第１の実施の形態を説明するための断面図である。
【図４】本発明の２次元テープ状光ファイバ心線の第２の実施の形態を説明するための断面図である。
【図５】本発明の光コードの第１の実施の形態を説明するための断面図である。
【図６】本発明の光コードの第２の実施の形態を説明するための断面図である。
【図７】本発明のコネクタ付きテープ状光ファイバ心線の第１の実施の形態を説明するためのもので、図７（Ａ）は要部の斜視図、図７（Ｂ）〜（Ｄ）は配列パターンの説明図である。
【図８】本発明のコネクタ付きテープ状光ファイバ心線の第２の実施の形態を説明するための要部の斜視図である。
【図９】本発明のコネクタ付きテープ状光ファイバ心線の第３の実施の形態を説明するための要部の斜視図である。
【図１０】現行の光ファイバ心線の一例の断面図である。
【図１１】現行のテープ状光ファイバ心線の一例の断面図である。
【図１２】現行の光ファイバコードの一例の断面図である。
【符号の説明】
１…コア、２…被覆層、３…クラッド層、４…光ファイバ心線、５…テープ被覆、６…２次元テープ状光ファイバ心線、７…外部被覆、８，９…コネクタ。
【図１】
2004012616.tif 000003
【図２】
2004012616.tif 000004
【図３】
2004012616.tif 000005
【図４】
2004012616.tif 000006
【図５】
2004012616.tif 000007
【図６】
2004012616.tif 000008
【図７】
2004012616.tif 000009
【図８】
2004012616.tif 000010
【図９】
2004012616.tif 000011
【図１０】
2004012616.tif 000012
【図１１】
2004012616.tif 000013
【図１２】
2004012616.tif 000014